(57)【要約】【課題】  簡便にサーバラック上でサーバが操作できるスライド式平面表示装置およびキイボードモジュールを提供する。【解決手段】  Ｌ形支持ブラケット２３６、垂直レール２３２、水平レール２３４、平面表示装置２１０およびキイボードモジュール２２０を備える。垂直レール２３２はＬ形支持ブラケット２３６の垂直面の一つに設置され、水平レール２３４はＬ形支持ブラケット２３６の水平面の一つに設置される。平面表示装置２１０は垂直レール２３２に結合され、キイボードモジュール２２０は水平レール２３４に結合されているため、平面表示装置２１０とキイボードモジュール２２０とがＬ形支持ブラケット２３６に沿って水平移動する。【選択図】  図２
2006302245.tif 000002
【特許請求の範囲】
【請求項１】
Ｌ形支持ブラケットと、
前記Ｌ形支持ブラケットの垂直面の一つに設置される垂直レールと、
前記Ｌ形支持ブラケットの水平面の一つに設置される水平レールと、
前記垂直レールに結合され、前記Ｌ形支持ブラケットに沿って水平移動する平面表示装置と、
前記水平レールに結合され、前記Ｌ形支持ブラケットに沿って水平移動するキイボードモジュールと、
を備えることを特徴とするスライド式平面表示装置およびキイボードモジュール。
【請求項２】
前記Ｌ形支持ブラケットはラック（rack）と結合することを特徴とする請求項１記載のスライド式平面表示装置およびキイボードモジュール。
【請求項３】
前記水平レールは、前記キイボードモジュールの後端に設置される位置決め機構をさらに備え、
該位置決め機構は、前記キイボードモジュールが開かれたときに前記キイボードモジュールを所定の位置に定位させることを特徴とする請求項１記載のスライド式平面表示装置およびキイボードモジュール。
【請求項４】
前記位置決め機構は位置決めバネ片および位置決め溝を備え、
前記キイボードモジュールが前記所定の位置に到達すると、前記位置決めバネ片は前記位置決め溝に結合することを特徴とする請求項３記載のスライド式平面表示装置およびキイボードモジュール。
【請求項５】
前記キイボードモジュールは連動プレートをさらに備え、
前記キイボードモジュールを開くと、前記連動プレートにより前記平面表示装置が連動することを特徴とする請求項１記載のスライド式平面表示装置およびキイボードモジュール。
【請求項６】
前記平面表示装置は位置決めピンを制御する位置決めスイッチをさらに備え、
前記平面表示装置を閉めると、前記位置決めピンが前記垂直レール上の位置決め孔に挿入されることを特徴とする請求項１記載のスライド式平面表示装置およびキイボードモジュール。
【請求項７】
前記キイボードモジュールはローラをさらに備え、
前記ローラは前記キイボードモジュールの表面に設置され、前記平面表示装置をさらに支持することを特徴とする請求項１記載のスライド式平面表示装置およびキイボードモジュール。
【請求項８】
位置決めスイッチおよび前記垂直レールの前端に設置される位置決め孔をさらに備え、
前記平面表示装置を開くと、前記位置決め孔と前記平面表示装置上の前記位置決めスイッチとが結合することを特徴とする請求項１記載のスライド式平面表示装置およびキイボードモジュール。
【請求項９】
前記平面表示装置を開くと、前記キイボードモジュールと９０度よりも大きい開き角度が形成されることを特徴とする請求項１記載のスライド式平面表示装置およびキイボードモジュール。
【請求項１０】
前記開き角度は９５〜９７度であることを特徴とする請求項９記載のスライド式平面表示装置およびキイボードモジュール。
【請求項１１】
前記水平レールの幅は前記キイボードモジュールの厚みよりも大きいことを特徴とする請求項１記載のスライド式平面表示装置およびキイボードモジュール。
【請求項１２】
前記垂直レールの高さは前記平面表示装置の厚みよりも大きいことを特徴とする請求項１記載のスライド式平面表示装置およびキイボードモジュール。
【請求項１３】
平面表示装置と、
キイボードモジュールと、
前記平面表示装置および前記キイボードモジュールの後方に設置される制御モジュールと、
前記制御モジュールの後方に設置されるＫＶＭスイッチモジュールと、
Ｌ形支持ブラケットと、
前記Ｌ形支持ブラケットの垂直面の一つに設置される垂直レールと、
前記Ｌ形支持ブラケットの水平面の一つに設置される水平レールとを備えるスライド式平面表示装置およびキイボードモジュールのＫＶＭスイッチであって、
前記平面表示装置が前記垂直レールに結合されて前記Ｌ形支持ブラケットに沿って水平移動し、前記キイボードモジュールが前記水平レールに結合されて前記Ｌ形支持ブラケットに沿って水平移動することを特徴とするスライド式平面表示装置およびキイボードモジュールのＫＶＭスイッチ。
【請求項１４】
前記Ｌ形支持ブラケットにより、１Ｕサーバラックと結合して前記ラック上のサーバコンピュータを制御することを特徴とする請求項１３記載のスライド式平面表示装置およびキイボードモジュールのＫＶＭスイッチ。
【請求項１５】
前記水平レールは、前記キイボードモジュールの後端に設置される位置決め機構をさらに備え、
前記キイボードモジュールを開くと、前記位置決め機構が前記キイボードモジュールを所定の位置に定位させることを特徴とする請求項１３記載のスライド式平面表示装置およびキイボードモジュールのＫＶＭスイッチ。
【請求項１６】
前記位置決め機構は位置決めバネ片および位置決め溝を備え、
前記キイボードモジュールが前記所定の位置に到達すると、前記位置決めバネ片が前記位置決め溝に結合することを特徴とする請求項１５記載のスライド式平面表示装置およびキイボードモジュールのＫＶＭスイッチ。
【請求項１７】
前記キイボードモジュールは連動プレートをさらに備え、
前記キイボードモジュールを開くと、前記連動プレートにより前記平面表示装置が連動することを特徴とする請求項１３記載のスライド式平面表示装置およびキイボードモジュールのＫＶＭスイッチ。
【請求項１８】
前記平面表示装置は、位置決めピンを制御する位置決めスイッチをさらに備え、
前記平面表示装置を閉めると、前記位置決めピンが前記垂直レールの前端にある位置決めブラケット上の位置決め孔に挿入されることを特徴とする請求項１３記載のスライド式平面表示装置およびキイボードモジュールのＫＶＭスイッチ。
【請求項１９】
前記キイボードモジュールはローラをさらに備え、
前記ローラは前記キイボードモジュールの表面に設置され、前記平面表示装置と前記キイボードモジュールとの間隔を確保することを特徴とする請求項１３記載のスライド式平面表示装置およびキイボードモジュールのＫＶＭスイッチ。
【請求項２０】
位置決めピンおよび位置決め孔をさらに備え、
前記位置決め孔が前記垂直レールの前端に設置され、前記平面表示装置を開くと、前記位置決め孔と前記平面表示装置上の前記位置決めピンとが結合することを特徴とする請求項１３記載のスライド式平面表示装置およびキイボードモジュールのＫＶＭスイッチ。
【請求項２１】
前記平面表示装置を開くと、前記キイボードモジュールと９０度よりも大きい開き角度が形成されることを特徴とする請求項１３記載のスライド式平面表示装置およびキイボードモジュールのＫＶＭスイッチ。
【請求項２２】
前記開き角度は９５〜９７度であることを特徴とする請求項２１記載のスライド式平面表示装置およびキイボードモジュールのＫＶＭスイッチ。
【請求項２３】
前記水平レールの幅は前記キイボードモジュールの厚みよりも大きいことを特徴とする請求項１３記載のスライド式平面表示装置およびキイボードモジュールのＫＶＭスイッチ。
【請求項２４】
前記垂直レールの高さは前記平面表示装置の厚みよりも大きいことを特徴とする請求項１３記載のスライド式平面表示装置およびキイボードモジュールのＫＶＭスイッチ。
【請求項２５】
ラック上に設置されるラックマウント式ＫＶＭスイッチ（rack-mounted KVM switch）であって、
平面表示装置と、
キイボードと、
前記平面表示装置および前記キイボードに結合されるＫＶＭスイッチモジュールと、
第１のレールと、
第２のレールとを少なくとも備え、
前記第１のレールと前記第２のレールとは互いに垂直であり、前記平面表示装置は前記第１のレールにより前記ラックに対応して移動し、前記キイボードは前記第２のレールにより前記ラックに対応して移動することを特徴とするラックマウント式ＫＶＭスイッチ。
【請求項２６】
Ｌ形支持ブラケットをさらに備え、
前記平面表示装置は、前記Ｌ形支持ブラケットおよび前記第１のレールにより前記ラックと結合し、
前記キイボードは、前記Ｌ形支持ブラケットおよび前記第２のレールにより前記ラックと結合することを特徴とする請求項２５記載のラックマウント式ＫＶＭスイッチ。
【発明の詳細な説明】
【技術分野】
【０００１】
本発明はスライド式平面表示装置およびキイボードモジュールに関し、特にラックマウント式ＫＶＭスイッチ（rack-mounted KVM switch）のスライド式平面表示装置およびキイボードモジュールに関する。
【背景技術】
【０００２】
科学技術の進歩とコンピュータシステムへの依頼度が高まるにつれ、サーバシステムの演算能力およびデータ保存能力に対する市場の要求も徐々に高くなってきているが、使用可能な空間が狭くなるに従い、サーバシステムが占有する事務室やコンピュータルームの空間はさらに小さいものが求められるようになっている。従来の大型サーバシステムは高い安定性を提供するため一般の卓上型コンピュータとほぼ同じか大きいサイズであったため、管理や空間配置において、サーバの接続や管理に多くの問題があった。また一般の企業には少ないときで二、三台、多いときで千台以上のサーバがあった。そのため、サーバの管理および空間の利用は、コンピュータに対する企業の要求が高まるにつれ、日増しに重要になってきている。
【０００３】
一般にサーバはサーバラック（rack）上に取り付けられるが、現在主流のサーバの一つである１Ｕサーバは、その標準的な重ね高さが１．７５インチ（約４．５ｃｍ）であるため、従来の大型サーバと異なりサーバの使用空間を効率良く節減して、サーバ管理を簡便に行うことができる。１Ｕサーバは、軽くて薄いために重ねることができる上、集中的な管理が行えるという特性を備えているため、サーバ市場における占有率が高かった。また１Ｕサーバの高度は１．７５インチと僅かであるため、１Ｕサーバに使用される大部分のハードウェアは小体積かつ低高度であった。
【０００４】
サーバラック上には多くのサーバを積重ねることができるが、これらのサーバを効率良く管理するため、通常、サーバ管理者は、これらのサーバコンピュータをＫＶＭスイッチ（KVM switch）で接続して管理を行っていた。これにより、必要なスクリーン、マウスおよびキイボードモジュールの数が減らせるだけでなく、それにより占用される空間も低減することができた。
【０００５】
しかしながら、１Ｕサーバラックは高度が制限されているため、その上に取り付けるキイボードモジュールおよびスクリーンも非常に多くの制限を受けた。従って、サーバの製造メーカおよび管理者は、サーバラック上にあるスクリーンおよびキイボードモジュールの強度および安全性を向上させる上、１Ｕサーバの制限された高度に合致するものが強く求められていた。
【発明の開示】
【発明が解決しようとする課題】
【０００６】
本発明の第１の目的は、分離されたレールがあるため、簡便にサーバラック上でサーバが操作できるスライド式平面表示装置およびキイボードモジュールを提供することにある。
本発明の第２の目的は、互いに垂直なレールを利用して平面表示装置とキイボードモジュールとをそれぞれ支持することにより、平面表示装置およびキイボードモジュールをサーバラック上へ堅固に取り付けるスライド式平面表示装置およびキイボードモジュールを提供することにある。
本発明の第３の目的は、安全な位置決め装置を有し、平面表示装置およびキイボードモジュールを操作するときの安全性を維持する上、収納したときの安定性をも維持することにより、サーバ上にある表示装置およびキイボードモジュールの安全性および安定性を確保するスライド式平面表示装置およびキイボードモジュールを提供することにある。
【課題を解決するための手段】
【０００７】
上述の目的を達成するため、本発明は、Ｌ形支持ブラケット、垂直レール、水平レール、平面表示装置およびキイボードモジュールを備えるスライド式平面表示装置およびキイボードモジュールを提供する。垂直レールはＬ形支持ブラケットの一垂直面上に設置され、水平レールはＬ形支持ブラケットの一水平面上に設置される。平面表示装置は垂直レールに結合され、キイボードモジュールは水平レールに結合されることにより、平面表示装置とキイボードモジュールとをＬ形支持ブラケットに沿って水平移動させる。
【０００８】
Ｌ形支持ブラケットは、１Ｕサーバラック（rack）と結合することによりスライド式平面表示装置およびキイボードモジュールを１Ｕサーバラック上に固定させる。水平レールはキイボードモジュールの後端に設置された位置決め機構をさらに備え、位置決め機構は開かれたキイボードモジュールを所定の位置に定位させる。この位置決め機構は位置決めバネ片および位置決め溝からなることが望ましく、キイボードモジュールが所定の位置に到達すると、位置決めバネ片と位置決め溝とが結合し、キイボードはこの位置に定位する。
【０００９】
キイボードモジュールは連動プレートをさらに備え、キイボードモジュールを開くときに、連動プレートにより平面表示装置が一緒に連動するため、管理者は簡便にキイボードモジュールおよび平面表示装置を開くことができる。平面表示装置は、位置決めピンを制御する位置決めスイッチをさらに備え、平面表示装置を閉めるときに、位置決めピンを垂直レール上にある位置決めブラケット上の位置決め孔に挿入して、平面表示装置を安全で安定した状態で閉めることにより、予期しない振動や外部からの力により開かれることがないようにする。
【００１０】
本発明のスライド式平面表示装置およびキイボードモジュールは、位置決めブラケットおよび位置決めピンをさらに備える。位置決めブラケットは垂直レールの前端に設置され、平面表示装置を開くと、位置決めブラケット上の位置決め孔と平面表示装置上の位置決めピンとが結合されることにより平面表示装置が固定される。平面表示装置が開かれるとキイボードモジュールと開き角度が形成されるが、その開き角度は、好適には９０度よりも大きく、さらに好適には約９５〜９７度であることが望ましい。
【００１１】
本発明のスライド式平面表示装置およびキイボードモジュールの水平レールの幅をキイボードモジュールの厚みよりも大きくし、垂直レールの高さを平面表示装置の厚みよりも大きくすることにより平面表示装置およびキイボードモジュールの支持力をさらに増大させることができる。
【００１２】
本発明のさらにもう一つのスライド式平面表示装置およびキイボードモジュールのＫＶＭスイッチは、上述したスライド式平面表示装置およびキイボードモジュールを利用することにより制御モジュールとＫＶＭスイッチモジュールとを結合し、ＫＶＭスイッチに安全で信頼のおける操作環境を提供し、サーバコンピュータの管理をより安全で安定した状態で行うことができる。
【００１３】
従って、本発明のスライド式平面表示装置およびキイボードモジュールと、スライド式平面表示装置およびキイボードモジュールのＫＶＭスイッチは、サーバラック上にあるコンピュータキイボードモジュールおよび表示装置の操作をより安全で安定した状態にすることにより、サーバ管理者に快適で安全な操作環境を提供することができる。
【発明の効果】
【００１４】
従って、本発明のスライド式平面表示装置およびキイボードモジュールは、１Ｕサーバラックへの取り付けに適合するだけでなく、スクリーンおよびキイボードモジュールに対して安全で堅固な操作環境を提供することができる。本発明のスライド式表面表示装置およびキイボードモジュールは、互いに垂直なレールにより平面表示装置およびキイボードモジュールをそれぞれ支持することにより、平面表示装置およびキイボードモジュールの支柱強度をさらに高めることができる。そして、キイボードモジュールのレールに必要な高さが従来のキイボードモジュールのレールよりも低いため、平面表示装置のレールの高さは平面表示装置の厚みよりも大きい。そのため、より優れた支持力を提供すると同時に、安全な位置決め装置と結合することにより、平面表示装置およびキイボードモジュールを操作するときにより安全となり、収納したり開けたりするするときの状態がより安定する。
【発明を実施するための最良の形態】
【００１５】
本発明のスライド式平面表示装置およびキイボードモジュールは、サーバラック上にあるコンピュータキイボードモジュールおよび表示装置を、より安全で安定した状態でサーバラック上へ固定することにより、サーバ管理者へ安全で信頼のおける管理環境を提供することができる。以下では図面および詳細な説明によって本発明の主旨を明確に説明するが、当該技術に習熟した者が本発明の好適な実施形態を理解した後、本発明により教示された技術を変更や修正したものも本発明の主旨および範囲に含まれるものとする。
【００１６】
図１Ａから図１Ｄは、本発明の好適な一実施形態によるスライド式平面表示装置およびキイボードモジュールを示す斜視図である。それらの図に示すように、本実施形態のスライド式平面表示装置およびキイボードモジュールは、例えば１Ｕ高さを有するサーバラックなどのコンピュータサーバのラック１００へ取り付けられる。スライド式平面表示装置およびキイボードモジュールは、平面表示装置１１０およびキイボードモジュール１２０を含み、それらはラック１００上でスライドさせることができる。図１Ａは、スライド式平面表示装置およびキイボードモジュールがラック１００に収納されたときの状態を示し、図１Ｂは、平面表示装置１１０を引き出したときの状態を示す。図１Ｃは、平面表示装置１１０だけが単独で開かれたときの状態を示し、図１Ｄは、平面表示装置１１０とキイボードモジュール１２０とを同時に開いてサーバコンピュータを操作するときの状態を示す。本実施形態のスライド式平面表示装置およびキイボードモジュールの平面表示装置１１０の開き角度１３０は、好適には９０度よりも大きく、さらに好適には９５〜９７度であることが望ましい。これにより、サーバ管理者は監視を簡便に行うことができ、表示装置１１０の上方にある装置のハンドルが表示装置に干渉して、表示装置の開き角度１３０が９０度よりも小さくなってサーバ管理者の操作に悪影響を与えることを防ぐことができる。
【００１７】
図２は図１Ａから図１Ｄの分解斜視図であり、図２により本実施形態のスライド式平面表示装置およびキイボードモジュールの細かい部品を説明する。図２に示すように、本実施形態のスライド式平面表示装置およびキイボードモジュールは、平面表示装置２１０、キイボードモジュール２２０およびスライドモジュール２３０を含む。このスライドモジュール２３０は、Ｌ形支持ブラケット２３６、第１のレール２３２および第２のレール２３４からなる。第１のレールは垂直レール２３２であり、第２のレールは水平レール２３４であり、第１のレール２３２と第２のレール２３４とは互いに垂直の関係である。Ｌ形支持ブラケット２３６はサーバラックと結合する剛性構造であり、垂直レール２３２および水平レール２３４を支持するために用いられる。垂直レール２３２はＬ形支持ブラケット２３６の垂直平面に固定され、水平レール２３４はＬ形支持ブラケット２３６の水平面上に固定される。
【００１８】
垂直レール２３２と平面表示装置２１０とが結合されることにより、平面表示装置２１０はスライドモジュール２３０に沿って水平にスライドすることが可能となり、スライドモジュール２３０により平面表示装置２１０を引っ張り出したり収納したりすることができる。水平レール２３４とキイボードモジュール２２０とが互いに結合されるため、キイボードモジュール２２０はスライドモジュール２３０に沿って水平にスライドすることが可能となり、スライドモジュール２３０によりキイボードモジュール２２０を引っ張り出したり収納したりすることができる。
【００１９】
本実施形態の平面表示装置２１０およびキイボードモジュール２２０は、それぞれ独立した垂直レール２３２および水平レール２３４へ結合される。そのため、サーバ管理者は平面表示装置２１０だけを引き出してサーバコンピュータを監視することができる。またサーバコンピュータを操作するときは、キイボードモジュール２２０だけをスライドモジュール２３０、つまりサーバラックから引き出し、キイボードモジュール２２０上のキイ２２４およびタッチパッド２２６を操作することができるため、簡便にサーバコンピュータが制御できる。
【００２０】
本実施形態では、サーバラックから平面表示装置２１０だけを引き出して上に向けて開き（図１Ｃを参照）サーバコンピュータを監視することができるが、このときキイボードモジュール２２０をサーバラックから引き出す必要はない。よってサーバコンピュータを管理する際、サーバラックの間の通路空間がより広くなり、引き出されたキイボードモジュール２２０により邪魔されることがない。管理者がサーバコンピュータを操作するときにだけ、キイボードモジュール２２０をサーバラックから引き出すため、サーバコンピュータルーム内の通路が通りやすく、管理者は簡便に各ラック上のコンピュータサーバをチェックすることができる。
【００２１】
水平レール２３４には、キイボードモジュール２２０の操作の安定性をより効果的に向上させるため、水平に取り付けられたレールを用いる。レールの幅はキイボードモジュール２２０の厚みを制限せず、本実施形態のスライド式平面表示装置およびキイボードモジュール中の水平レール２３４が、キイボードモジュール２２０を効果的に支持することができるため、管理者はキイボードモジュール２２０をより安定した状態で操作することができる。また、水平レール２３４の幅をキイボードモジュール２２０の厚みよりも大きくすると、キイボードモジュール２２０の支持効果が高まり、キイボードモジュール２２０の厚みにも悪い影響を与えない。そのため水平レール２３４を用いると、キイボードモジュール２２０に必要な厚みをさらに低減させて空間が制限されている１Ｕサーバ中の空間をより効率良く利用することができる。
【００２２】
平面表示装置２１０の垂直レール２３２は、短い内部スライドをさらに利用することにより、平面表示装置２１０により長い摺動ストロークを提供することができるとともに、平面表示装置２１０上の平面表示装置支持ブラケット２１９を合わせて使用することにより従来のラック上で使用されていた平面表示装置のストロークよりも所定距離増やすことができる。この所定距離により、平面表示装置２１０を上に開いたときの開き角度を９０度よりも大きくすることができる（図１Ｄを参照）。そのため管理者はサーバコンピュータの監視をより簡便に行うことができる。特に、平面表示装置２１０の上方のコンピュータ装置が突出したハンドルを有している場合、このハンドルが平面表示装置２１０に干渉してスクリーンの表示角度が僅かに下向きとなり管理者が行う監視が不便となることを防ぐことができる。
【００２３】
キイボードモジュール２２０の前端部には、キイボードモジュール２２０の取り出しが簡便にできるようにハンドル２２８が固設され、キイボードモジュール２２０の後端部には、平面表示装置２１０がキイボードモジュール２２０に連動するように連動プレート２２９が固設される。これによりキイボードモジュール２２０が取り出されるときに、平面表示装置２１０も同時に取り出すことができる。一般の操作状況ではキイボードモジュール２２０を利用してサーバコンピュータを操作する場合、平面表示装置２１０により監視を行わなければならないが、この連動プレート２２９により平面表示装置２１０をキイボードモジュール２２０に連動すると、管理者はより簡便に操作することができる。キイボードモジュール２２０の表面に取り付けられたローラ２１１は、平面表示装置２１０とのピッチも確保されるため、平面表示装置２１０はスライドモジュール２３０中からスムーズに取り出すことができる。このローラ２１１が固設される箇所は、キイボードモジュール２２０の表面だけに限定されず、平面表示装置２１０および／またはキイボードモジュール２２０の表面に固設されてもよい。
【００２４】
また、平面表示装置２１０前方のパネル上には、平面表示装置２１０を簡便に取り出せるためのハンドル２１８が設置されてもよい。図２および図４に示すように、ハンドル２１８の両側に設置された位置決めスイッチ２１２は、パネルの左右側に設けられた位置決めピン２１４をスライドモジュール２３０上の位置決め孔２３９に結合することができる。そのため、平面表示装置２１０を収納したときに、スライドモジュール２３０上へ効果的に固定することにより、予期しない取り出しや摺動により装置が破壊されることを防ぐことができる。
【００２５】
平面表示装置２１０の後方にある支持ブラケット２１９上には、可動位置決めピンなどの位置決めスイッチ２１６が含まれ、平面表示装置２１０を開くと、位置決めスイッチ２１６と位置決めブラケット２３７上の位置決め孔２３９とが結合する。それにより平面表示装置２１０を起こすときに、平面表示装置２１０が回転されて加わる前後への力に対抗することができるため、平面表示装置２１０の起こす動作を確実かつ安定した状態で行うことができる。平面表示装置２１０を収納するときは、位置決めスイッチ２１６を位置決め孔２３９から外すだけで平面表示装置２１０をスムーズに押し返すことができる。そして、次に平面表示装置２１０を引き出すときは、位置決めブラケット２３７上にあるバネ片２３８は、位置決めスイッチ２１６を突出させて、位置決めブラケット２３７上の位置決め孔２３９と結合することにより、平面表示装置２１０を所定の操作位置へ固定して前述のように開き角度を９０度よりも大きくして、平面表示装置２１０上に表示された画面を見る。
【００２６】
また、上述の位置決めスイッチ２１２と連動プレート２２９とを結合し、平面表示装置２１０がスライドモジュール２３０に固定されると、キイボードモジュール２２０もスライドモジュール２３０中に固定されるため、予期しない取り出しや摺動により装置が破壊されることが防止される。
【００２７】
図２および図３に示すように、キイボードモジュール２２０の後方には、位置決めバネ片２６２および位置決め溝２６４からなる位置決め機構２６０をさらに含む。位置決めバネ片２６２は、例えばスライド上などのキイボードモジュール２２０の下方に結合され、位置決め溝２６４が水平レール２３４の末端近くにいる管理者側に形成される。キイボードモジュール２２０を開くと、この位置決めバネ片２６２が位置決め溝２６４に結合されるため、キイボードモジュール２２０は適当な操作位置へ安定した状態で固定され、予期しない振動や外力によりキイボードモジュール２２０が閉まることがないようにする。
【００２８】
管理者がキイボードモジュール２２０を閉めるときは、キイボードモジュール２２０の下方にある位置決めバネ片２６２を上へ押し付け、この位置決めバネ片２６２を位置決め溝２６４から分離するだけで、キイボードモジュール２２０を閉めることができる。
【００２９】
この平面表示装置２１０およびキイボードモジュール２２０の後方は、電源および信号の伝達を提供する制御モジュール２４０を有する。そして、この制御モジュール２４０は、ケーブル支持連結棒２４２、電源供給装置２４４およびコネクタ２４６をさらに有する。ケーブル支持連結棒２４２は、制御モジュール２４０、平面表示装置２１０およびキイボードモジュール２２０に接続されたケーブルにより、平面表示装置２１０およびキイボードモジュール２２０に伴って、スライドしながら開いたり閉まったりする機能を提供する。また、電源供給装置２４４は必要な電源を提供し、コネクタ２４６により例えばサーバコンピュータやＫＶＭスイッチなどのサーバラック上に設置されたコンピュータ装置と接続される。
【００３０】
他の実施形態では、上述のスライド式平面表示装置およびキイボードモジュールをＫＶＭスイッチモジュールに結合し、１Ｕサーバラック上への使用に適合したスライド式平面表示装置およびキイボードモジュールを有するＫＶＭスイッチを形成してもよい。ＫＶＭスイッチモジュール２５０上のコネクタ２５２と制御モジュール２４０上のコネクタ２４６とを結合することにより、上述した平面表示装置２１０およびキイボードモジュール２２０を利用して、ＫＶＭスイッチモジュール２５０に接続された各サーバコンピュータの監視および操作を行うことができる。
【００３１】
本発明では好適な実施形態を前述の通り開示したが、これらは決して本発明を限定するものではなく、当該技術を熟知するものなら誰でも、本発明の主旨と領域を脱しない範囲内で各種の変更や修正を加えることができる。従って本発明の保護の範囲は、特許請求の範囲で指定した内容を基準とする。
【図面の簡単な説明】
【００３２】
【図１Ａ】本発明の好適な一実施形態によるスライド式平面表示装置およびキイボードモジュールを示す斜視図である。
【図１Ｂ】本発明の好適な一実施形態によるスライド式平面表示装置およびキイボードモジュールを示す斜視図である。
【図１Ｃ】本発明の好適な一実施形態によるスライド式平面表示装置およびキイボードモジュールを示す斜視図である。
【図１Ｄ】本発明の好適な一実施形態によるスライド式平面表示装置およびキイボードモジュールを示す斜視図である。
【図２】図１Ａから図１Ｄのスライド式平面表示装置およびキイボードモジュールを示す分解斜視図である。
【図３】図２のキイボードモジュールの位置決め機構を示す部分拡大図である。
【図４】図２のスライドモジュールを示す部分拡大図である。
【符号の説明】
【００３３】
１００  ラック、１１０、２１０  平面表示装置、１２０、２２０  キイボードモジュール、１３０  開き角度、２１１  ローラ、２１２、２１６  位置決めスイッチ、２１４  位置決めピン、２１８、２２８  ハンドル、２１９  平面表示装置支持ブラケット、２２４  キイ、２２６  タッチパッド、２２９  連動プレート、２３０  スライドモジュール、２３２  垂直レール、２３４  水平レール、２３６  Ｌ形支持ブラケット、２３７  位置決めブラケット、２３８  バネ片、２３９  位置決め孔、２４０  制御モジュール、２４２  ケーブル支持連結棒、２４４  電源供給装置、２４６、２５２  コネクタ、２５０  ＫＶＭスイッチモジュール、２６０  位置決め機構、２６２  位置決めバネ片、２６４  位置決め溝
【図１Ａ】
2006302245.tif 000003
【図１Ｂ】
2006302245.tif 000004
【図１Ｃ】
2006302245.tif 000005
【図１Ｄ】
2006302245.tif 000006
【図２】
2006302245.tif 000007
【図３】
2006302245.tif 000008
【図４】
2006302245.tif 000009